(57)【特許請求の範囲】
【請求項１】
所定方向に延設される凹凸条レンズ部が設けられたレンズ体と、該レンズ体の前面に配設される前面板とから構成された光学部材であって、前記前面板として、合成樹脂製の押し出し成形品で且つ表面にコーティング層が存在しない無垢のものが採用され、この前面板とレンズ体とは、該レンズ体の前記凹凸条レンズ部の延設方向と，前面板の前記押し出し方向とが５°以上９０°以下で交叉する位置関係に配設されていることを特徴とする光学部材。
【請求項２】
請求項１記載の光学部材において、レンズ体の後方には映像発信部が配設されていることを特徴とする光学部材。
【請求項３】
請求項１，２いずれか１項に記載の光学部材において、レンズ体として、レンチキュラーレンズ体が採用されていることを特徴とする光学部材。
【請求項４】
請求項１〜３いずれか１項に記載の光学部材において、前面板とレンズ体とは、該レンズ体の前記凹凸条レンズ部の延設方向と，前面板の前記押し出し方向とが直交する位置関係に配設されていることを特徴とする光学部材。
【発明の詳細な説明】
【０００１】
【発明の属する技術分野】
本発明は、テレビモニター等の光学部材に関するものである。
【０００２】
【従来の技術及び発明が解決しようとする課題】
ブラウン管式や液晶式等の各種モニターには、映像発信部から発信された映像光を所定方向（一般的に水平方向）に拡散して視野角を確保する為のレンチキュラーレンズと呼ばれる光拡散板が設けられている。
【０００３】
この光拡散板は、表面に所定方向（一般的に上下方向）に延設される凹凸条レンズ部が設けられた構成で、この凹凸条レンズ部の作用により、映像光は該凹凸条レンズ部の延設方向と直交する方向に拡散される。
【０００４】
また、各種モニターには、前記光拡散板を保護したり外光の乱反射を防止したりする為の前面板が配設されている。
【０００５】
この前面板は、元々はガラス製のものが採用されていたが、最近の技術進歩の結果、安価で且つ耐久性に秀れた合成樹脂の押し出し成型品が使用されるようになってきている。
【０００６】
ところで、この合成樹脂の押し出し成型によって形成された前面板には、下記の問題点があることが判明した。
【０００７】
押し出し成形は、図１に図示したように、未硬化の合成樹脂10を所定の金型11（ダイ）に導入，通過せしめ、通過後の合成樹脂10を硬化せしめることにより行われる。この際、前記金型11に付着する微細なゴミ等により、該金型11を通過した合成樹脂10の表面に微細で且つ前記押し出し方向に延びるキズが形成されてしまう。
【０００８】
前面板は、このキズが目視等で簡単に確認できるものであれば、光学的特性への懸念から、当然、使用不可となる。しかし、このキズが確認困難な程に微細なものである場合、この前面板は採用されてしまう。
【０００９】
しかし、本発明者らが研究を重ねた結果、確認困難な程の微細なキズであっても、当該キズによって映像に輝線が発生してしまう場合があることが確認された。
【００１０】
本発明は、押し出し成形によって形成された前面板の表面のキズに起因する画像の輝線の問題を解消した光学部材を提供するものである。
【００１１】
【課題を解決するための手段】
添付図面を参照して本発明の要旨を説明する。
【００１２】
所定方向に延設される凹凸条レンズ部１が設けられたレンズ体２と、該レンズ体２の前面に配設される前面板３とから構成された光学部材であって、前記前面板３として、合成樹脂製の押し出し成形品で且つ表面にコーティング層が存在しない無垢のものが採用され、この前面板３とレンズ体２とは、該レンズ体２の前記凹凸条レンズ部１の延設方向と，前面板３の前記押し出し方向とが５°以上９０°以下で交叉する位置関係に配設されていることを特徴とする光学部材に係るものである。
【００１３】
また、請求項１記載の光学部材において、レンズ体２の後方には映像発信部が配設されていることを特徴とする光学部材に係るものである。
【００１４】
また、請求項１，２いずれか１項に記載の光学部材において、レンズ体２として、レンチキュラーレンズ体が採用されていることを特徴とする光学部材に係るものである。
【００１５】
また、請求項１〜３いずれか１項に記載の光学部材において、前面板３とレンズ体２とは、該レンズ体２の前記凹凸条レンズ部１の延設方向と，前面板３の前記押し出し方向とが直交する位置関係に配設されていることを特徴とする光学部材に係るものである。
【００１６】
【発明の作用及び効果】
本発明は繰り返した実験の結果確認された効果を請求項としてまとめたものである。
【００１７】
レンズ体２の凹凸条レンズ部１の延設方向と、前面板３の押し出し方向とが同一となる位置関係で両者が配設されている場合（図２参照）、映像に輝線が発生することがある。これは、レンズ体２の凹凸条レンズ部１によって屈折，拡散された映像光が、前面板３の押し出し成形時に形成され且つ該押し出し方向に沿って延びる微細なキズ（図中、符号４。以下、ダイラインという。）によって再屈折され、このダイライン４による光の再屈折方向と前記凹凸条レンズ部１による光の屈折方向とが同一であるから、場所によっては、該ダイライン４により再屈折された光と凹凸条レンズ部１により屈折された光とが収束して輝度を増し、この収束して輝度を増した光が線状に見えることが原因と思われた。
【００１８】
このレンズ体２の凹凸条レンズ部１の延設方向と、前面板３の押し出し方向とを５°以上で交叉する位置関係に配設したところ（図３参照。尚、図３は９０°交叉する位置関係で配設した場合を図示している。）、映像に輝線は発生しなかった。これは、レンズ体２の凹凸条レンズ部１によって屈折，拡散された映像光がダイライン４で再屈折されても、このダイライン４による再屈折方向と前記凹凸条レンズ部１による光の屈折方向とが交叉しているから、ダイライン４により再屈折された光と凹凸条レンズ部１により屈折された光とが収束する可能性が極めて低いことが要因と思われた。
【００１９】
この前面板３とレンズ体２との位置関係による映像の輝線の防止は、該前面板３の押し出し方向とレンズ体２の凹凸条レンズ部１の延設方向とを交叉させるだけであるから、微細で存在が確認できないダイライン４による輝線であっても確実に防止することができる。
【００２０】
本発明は上述のように構成したから、押し出し成形によって形成され、表面にコーティング層が存在しない無垢の前面板の表面のキズに起因する映像の輝線の問題を簡単且つ確実に解消できる実用性に秀れた光学部材となる。
【００２１】
【発明の実施の形態】
図１，３は本発明の一実施例を図示したものであり、以下に説明する。
【００２２】
本実施例は、所定方向に延設される凹凸条レンズ部１が設けられたレンズ体２と、該レンズ体２の前面に配設される前面板３とから構成された光学部材であって、前記前面板３として、合成樹脂製の押し出し成形品が採用され、この前面板３とレンズ体２とは、該レンズ体２の前記凹凸条レンズ部１の延設方向と，前面板３の前記押し出し方向とが５°以上で交叉する位置関係に配設されているものである。
【００２３】
レンズ体２及び前面板３は、正面視方形状のものが夫々採用されている。
図示したレンズ体２は、表面に上下方向に延設される凹凸条レンズ部１が設けられたレンチキュラーレンズ体である。このレンチキュラーレンズ体は、後方に配設された映像発信部（図示省略）から発信された映像光を水平方向に拡散するものである。
【００２４】
映像発信部は、プロジェクター式，液晶式，ブラウン管式等の種々のものが採用される。
【００２５】
また、図面は、レンズ体２と映像発信部との間に該映像発信部から発信された前記映像光を所定方向に向ける為のフレネルレンズ体５が配設されている場合を図示している。このフレネルレンズ体５は、映像発信部がプロジェクター式の場合に良く用いられる。尚、このフレネルレンズ体５も正面視方形状のものが採用されている。
【００２６】
前面板３は、押し出し成形法、具体的には、図１に図示したように、未硬化の透明な光学部材用の合成樹脂10を所定の金型11（ダイ）に導入，通過せしめ、通過後の合成樹脂10を硬化せしめて透明板体を形成し、この透明板体を所定形状、具体的には、前記レンズ体２の形状に合わせた方形状に切断する方法により形成されたものが採用されている。
【００２７】
また、前面板３は、前記押し出し成形法において透明板体から切断される際、該前面板３のダイライン４の延設方向が、前記レンズ体２の凹凸条レンズ部１の延設方向と所定角度以上異なるように切断され、該前面板３の形状に形成される。
【００２８】
前面板３は、表面にコーティング層が存在しない無垢の安価なものが採用されている。この無垢の前面板３は、ダイライン４による輝線の発生が問題となり易かったものである。尚、コーティング層が存在する前面板では、該コーティング層によってダイラインが埋められ、該ダイラインによる映像光の屈折が発生しにくい。
【００２９】
この前面板３と前記レンズ体２とは、該レンズ体２の前記凹凸条レンズ部１の延設方向と，前面板３の前記押し出し方向とが５°以上で交叉する位置関係に配設されているが、この交叉角度が１０°以上の場合、ダイライン４による輝線の発生をより一層確実に防止できることが実験により確認されている。
【００３０】
また、この交叉角度が９０°、即ち、レンズ体２の前記凹凸条レンズ部１の延設方向と，前面板３の前記押し出し方向とが直交する位置関係である場合、凹凸条レンズ部１による光の拡散方向とダイライン４による光の拡散方向とが直交する為、該ダイライン４による輝線の発生を極めて確実に防止することを実験により確認している。
【００３１】
尚、例えば、レンズ体２の表裏両面に凹凸条レンズ部１が夫々設けられ、一方の凹凸条レンズ部１の延設方向が上下方向、他方の凹凸条レンズ部１の延設方向が左右方向である場合では、この両方の凹凸条レンズ部１の延設方向と前面板３の押し出し方向とが５°以上で交叉する位置関係に、該前面板３とレンズ体２とを配設する。
【００３２】
本実施例は上述のように構成したから、押し出し成形によって形成され、表面にコーティング層が存在しない無垢の前面板３の表面の微細なキズ、即ち、ダイライン４に起因する映像の輝線の問題を、該前面板３とレンズ体２との位置関係の設定だけで簡単且つ確実に解消できる実用性に秀れた光学部材となる。
【００３３】
また、前面板３とレンズ体２との位置関係を設定するだけであるから、目視できない等、その存在の確認が極めて困難なダイライン４に起因する映像の輝線の問題であっても確実に解消することができ、よって、この点においても極めて実用性に秀れた光学部材となる。
【図面の簡単な説明】
【図１】  押し出し成形による前面板３の形成を示す説明図である。
【図２】  従来例の説明図である。
【図３】  本実施例の説明図である。
【符号の説明】
１  凹凸条レンズ部
２  レンズ体
３  前面板
【図１】
0003801911.tif 000002
【図２】
0003801911.tif 000003
【図３】
0003801911.tif 000004